(57)【特許請求の範囲】
【請求項１】
スタイラスと、
スタイラスドックと、
を含むスタイラス充電システムであって、
前記スタイラスは、
前記スタイラスのアクティブ機能に動力を供給するためのエネルギー蓄積装置と、
前記エネルギー蓄積装置に電気的に連結されるとともに、前記エネルギー蓄積装置を充電するための充電電流を提供するように構成される充電回路と、
前記スタイラスの外面に配置される強磁性材料から形成される強磁性の第１の端子であって、前記充電回路に電気的に連結される、強磁性の第１の端子と、
前記スタイラスの外面に配置されるとともに前記充電回路に電気的に連結される第２の端子と、を含み、
前記スタイラスドックは、
前記スタイラスの強磁性の第１の端子を引き付けるように構成される永久磁石と、
電源に電気的に連結されるとともに前記永久磁石から電気的に遮蔽される充電接点であって、該充電接点は、前記スタイラスがドッキング位置にある場合に前記強磁性の第１の端子及び前記第２の端子のうちの少なくとも１つと物理的に接触するように構成され、前記強磁性の第１の端子が該充電接点と物理的に接触している場合、充電電流が前記電源から該充電接点を通り、前記強磁性の第１の端子及び前記充電回路を通って前記スタイラスのエネルギー蓄積装置に流れることができるように導電性パスが形成され、前記第２の端子が前記充電接点と物理的に接触している場合、充電電流が前記電源から前記充電接点を通り、前記第２の端子及び前記充電回路を通って前記スタイラスのエネルギー蓄積装置に流れるように導電性パスが形成される、充電接点と、を含む、
スタイラス充電システム。
【請求項２】
前記第２の端子は非強磁性材料から形成される、請求項１に記載のスタイラス充電システム。
【請求項３】
前記強磁性の第１の端子は前記スタイラスの外周全体の周りでリング状に配置される強磁性材料から形成され、前記第２の端子は前記スタイラスの外周全体の周りでリング状に配置される非強磁性材料から形成される、請求項２に記載のスタイラス充電システム。
【請求項４】
前記スタイラスの強磁性の第１の端子を引き付けるように構成される前記永久磁石は第１の永久磁石を含み、前記スタイラスドックは第２の永久磁石をさらに含み、前記第１の永久磁石及び前記第２の永久磁石は互いに前記充電接点の両側に配置される、請求項１に記載のスタイラス充電システム。
【請求項５】
前記スタイラスドックは、前記スタイラスが前記ドッキング位置にある場合に前記スタイラスのエネルギー蓄積装置を磁気的に引き付けるとともに整合するように構成及び配置される第３の永久磁石をさらに含む、請求項４に記載のスタイラス充電システム。
【請求項６】
前記スタイラスドックは第２の充電接点と、第３の永久磁石と、第４の永久磁石とをさらに含み、前記スタイラスの第２の端子は前記スタイラスの外面に配置される強磁性材料から形成され、前記第３の永久磁石及び前記第４の永久磁石は前記第２の充電接点の両側に配置されるとともに前記スタイラスの第２の端子を引き付けるように構成されている、請求項４に記載のスタイラス充電システム。
【請求項７】
スタイラスであって、当該スタイラスは
前記スタイラスのアクティブ機能に動力を供給するためのエネルギー蓄積装置と、
前記エネルギー蓄積装置に電気的に連結されるとともに、前記エネルギー蓄積装置を充電するための充電電流を提供するように構成される充電回路と、
前記スタイラスの外面に配置される強磁性材料から形成される強磁性の端子であって、該強磁性の端子は、該強磁性の端子が電源の充電接点と接触することで充電電流が該電源の充電接点から前記強磁性の端子及び前記充電回路を通って前記エネルギー蓄積装置に流れるよう導電性パスが形成されるように前記充電回路に電気的に連結される、強磁性の端子と、
を含み、
前記強磁性の端子は、当該スタイラスがドッキング位置にくるように前記電源のドックの永久磁石への磁力を通じて該ドックに受容されるように構成され、該ドッキング位置では、前記強磁性の端子が前記電源の充電接点と接触して前記電源から充電電流を前記充電回路に受け取らせる、スタイラス。
【請求項８】
前記強磁性の端子は第１の端子であり、前記スタイラスは、前記スタイラスの外面に配置される非強磁性材料から形成される非強磁性の第２の端子をさらに含み、該非強磁性の第２の端子は前記充電回路に電気的に連結されるとともに、前記電源の第２の充電接点と接触して前記電源から充電電流を前記充電回路に受け取らせるように構成されている、請求項７に記載のスタイラス。
【請求項９】
前記エネルギー蓄積装置は前記ドックの第２の永久磁石への磁力を通じて前記ドックに受容されるように構成され、前記エネルギー蓄積装置は前記スタイラスの前記強磁性の端子とは反対側の端部に配置される、請求項７に記載のスタイラス。
【請求項１０】
前記充電接点及び前記永久磁石は前記ドックのハウジングの開口に亘って広がる、請求項７に記載のスタイラス。
【請求項１１】
前記充電接点は前記ドック内に収容される第２の充電回路を通じて前記電源に電気的に連結されている、請求項７に記載のスタイラス。
【発明の詳細な説明】
【背景技術】
【０００１】
タッチセンサディスプレイ装置、トラックパッド、ライティングタブレット、グラフィックスタブレット／ディジタイザ及び他の電子機器はスタイラス等の入力装置から入力を受け得る。スタイラスは、指又は他のとがっていない入力機構よりも絵を描くこと、文字を書くこと、アイコンを選択すること等の精密なタスクにより適し得る。スタイラスは送信／受信装置を含み得る及び／又はそれ以外ではコンピューティングデバイスとのやりとりのためにアクティブ機能（active  functions）を行うことが可能であり得る。そのようなアクティブ機能はスタイラス内にある充電式バッテリーを動力源とし得る。
【発明の概要】
【０００２】
スタイラスは、内蔵バッテリーを充電するために及び／又は使用しない間にドック内に収容して確実に保管するためにドックを利用し得る。スタイラスのアクティブ機能に動力を供給するためのエネルギー蓄積装置と、該エネルギー蓄積装置に電気的に連結されるとともに前記エネルギー蓄積装置を充電するための充電電流を提供するように構成される充電回路とを含むスタイラスのための実施形態が開示される。スタイラスは、スタイラスの外面にリング状に配置される強磁性材料を含む磁着性要素（magnetically  attractable  element）をさらに含み、該磁着性要素は充電回路に電気的に連結されて充電回路の端子を形成し、磁着性要素はドックの永久磁石への磁着を通じてドックに受容されて、磁着要素がドックの充電接点（charging  contacts）と接触して充電回路がドックから充電電流を受け取るようにするドッキング位置（docked  position）をスタイラスが取るようにさせるよう構成されている。
【０００３】
本概要は、詳細な説明の欄において後でさらに説明する一連の概念を簡略化して紹介するために設けられている。本概要は、本願発明の主要な特徴又は不可欠な特徴を特定することを意図したものでもなければ、本願発明の範囲を限定するために使用すること意図したものでもない。さらに、本願発明は、本開示の任意の部分に記載の欠点のいずれか又は全てを解決する実施に限定されない。
【図面の簡単な説明】
【０００４】
【図１】図１は、例示のスタイラス充電システムを概略的に示す。
【図２】図２は、図１に図示のスタイラス充電システムの例示のドックを示す。
【図３】図３は、ディスプレイ装置及び一体型のドックの例示の構成を示す。
【図４】図４は、例示のドックの断面を示す。
【図５】図５は、図１に図示のスタイラス充電システムの例示のスタイラスを示す。
【図６】図６は、例示のスタイラスの断面を示す。
【図７】図７は、例示のスタイラス充電システムのスタイラスとドックとの間の例示の電気的及び磁気的関係を示す。
【図８】図８は、スタイラス充電システムのドック内にあるスタイラスの例示のドッキング位置を示す。
【発明を実施するための形態】
【０００５】
上述したように、スタイラスは充電式バッテリーを動力源とするアクティブ機能を提供し得る。スタイラス内の充電回路は、関連するスタイラス充電器の充電接点と接触するように構成される１つ以上の端子を通じてバッテリーを充電するための充電電流を提供し得る。スタイラスの典型的なサイズ及び形状（例えば、少なくとも１つの先細った端部を有する細いロッド様の形状）に起因して、スタイラスは置き忘れられ易いため、スタイラス充電器は、充電の間に及び／又はスタイラスが使用されていない間にスタイラスを特定の場所に保持するドックの形状を取り得る。以下で説明する実施例では、スタイラスは、スタイラス本体の外装にある強磁性材料の被着（deposit）で形成された、充電回路の少なくとも１つの端子を含む。充電端子としての役割を果たす磁着要素を含むことで、ドックの永久磁石への磁着を通じて、端子をドックの充電接点に整合させることができるとともに、重力や他の力に抗してドックに固定させることができる。
【０００６】
図１は、例示のスタイラス充電システム１００を概略的に示す。スタイラス充電システム１００は、ドック１０４と接触する及び／又はドック１０４内で支持されるように構成されたスタイラス１０２を含み得る。スタイラス１０２は、スタイラスのアクティブ機能に動力を与えるよう構成されたバッテリー１０６又は他のエネルギー蓄積装置を含み得る。バッテリー１０６はスタイラスのプロセッサ又は他の論理装置、スタイラスの記憶装置、スタイラスのセンサ装置、スタイラスの送信機／受信機、発光装置（例えばレーザーポインター機構）及び／又は係るアクティブ機能を行うのに利用され得るスタイラスの任意の好適な電子機器の電子コンポーネントに電力を提供し得る。例えば、スタイラス１０２は、スタイラスから入力を受けるコンピューティングデバイスにスタイラスのユーザーの位置情報、バイオメトリック情報及び／又は他の好適な情報を送信するように構成され得る。あるいは又はそれに加えて、スタイラス１０２は、バッテリー１０６を動力源とする振動モーター、インジケータライト及び／又は他のフィードバック機構を含み得る。なお、バッテリー１０６は任意の好適な種類の充電式バッテリーであり、限定されないがリチウムイオン（例えば、リチウムコバルト）、鉛酸、ニッケル−カドミウム（ＮｉＣｄ）、ニッケル−金属水素化物（ＮｉＭＨ）等を含む任意の好適な化学組成を使用し得る。
【０００７】
充電回路１０８はバッテリー１０６に電気的に連結されるとともに、バッテリー１０６に充電電流を提供するように構成され得る。充電回路１０８は１つ以上の端子１１０からバッテリー１０６への電流の流れを調整するように構成され得る。例えば、充電回路１０８は一定の流れの電流がバッテリーに供給されるのを確実にし、充電時間を制御し及び／又はバッテリー１０６の充電の任意の好適な調整、変更及び／又は制御を提供し得る。充電回路１０８は、バッテリー１０６の充電の知的制御を提供するために、電圧、温度等のパラメータを監視し得る。
【０００８】
充電回路１０８は任意の好適な数の端子を含み得る。例えば、２つの端子１１０が図１のスタイラス１０２に図示されている。端子１１０は、スタイラスの表面に配置された導電性材料により形成され得る。このように、導電性材料はドック１０４の１つ以上の充電接点と面共有接触（face-sharing  contact）し、それにより、スタイラスがドッキング位置にある場合にスタイラスを充電するために充電電流を供給できる回路が形成され得る。端子１１０のうちの１つ以上は磁着性であり、強磁性材料を含む及び／又は強磁性材料で構成される。例えば、端子１１０のうちの１つ以上はメッキが施されているか又は純粋な（solid）スチール、鉄、ニッケル、コバルト及び／又は任意の好適な強磁性金属又は金属合金を含み得る。後でより詳細に説明するように、いくつかの実施例では、１つ以上の追加の端子１１０は非磁着性であり、非強磁性材料を含む及び／又は非強磁性材料で構成され得る。例えば、端子１１０のうちの１つ以上はメッキが施されているか又は純粋な真鍮、青銅、銅、金、銀及び／又は任意の好適な非強磁性材料を含み得る。
【０００９】
上述したように、各端子１１０はスタイラスがドッキング位置にある場合にドック１０４の各充電接点１１２と接触させられ得る。それに加えて、強磁性材料を含む任意の磁着性端子（本明細書では強磁性端子ともいう）はドック１０４内に又はドック１０４上に配置される１つ以上の永久磁石１１４に引き付けられる。図示の実施例では、２つの永久磁石を示すが、任意の好適な数の永久磁石をドック１０４に含めてもよい。永久磁石１１４はドックの外側筐体内で完全に取り囲まれる及び／又は覆われるか又はドックの表面に完全に若しくは部分的に露出し得る。例えば、いくつかの実施例では、永久磁石１１４のうちの１つ以上はドック筐体内で部分的に取り囲まれるとともに、ドック筐体にある開口を通ってドック１０４の外面の方に及び／又はドック１０４の外面の上に突出し得る。他の実施例では、永久磁石１１４のうちの１つ以上はドック本体の外面に完全に配置され得る。ドックの外面に永久磁石を露出させることで、永久磁石によって提供される強磁性端子を引き付ける磁力の強度が高められ得るのに対して、永久磁石の表面を覆うこと及び／又はドック筐体内で永久磁石を取り囲むことによって永久磁石の損傷が低減され得る。
【００１０】
充電接点１１２は、電源１１６に直接及び／又は充電回路１１８を通じて電気的に連結され得る。電源１１６は任意の好適な電源でよく、充電接点１１２に／充電接点１１２を通じて充電電流を提供するように構成され得る。充電回路１１８が利用される実施例では、充電回路１１８は、充電接点１１２に提供される電源１１６からの出力を調整するために充電回路１０８と同様の機能を提供し得る。
【００１１】
図２は、図１のドック１０４の例示の外観及び構造的な構成を示す。例えば、ドック１０４は、スタイラスの形状又は形の要因に対応する凹状領域２０４を有する実質的に矩形の筐体２０２を有し得る。例えば、凹状領域２０４（本明細書ではウェル部（well）ともいう）はドック筐体２０２の前面２０６に対して内側に（例えば、ドックの内部コンポーネントの方に）凹むとともに、一端（例えば、充電接点１１２ａ及び任意の充電接点１１２ｂに最も近い端部）が他端（例えば、任意の充電接点１１２ｃに最も近い端部）よりも先細りになっている。このように、スタイラスがドッキング位置にある場合にスタイラスの少なくとも一部がウェル部の内側に嵌り得る。前面２０６はインジケータライト２０８及び／又は他のフィードバック若しくは検知機構を含み得る。例えば、インジケータライト２０８はスタイラスの充電状態（例えば、非接続、充電中、充電完了等）を示し得る。
【００１２】
１つ以上の充電接点１１２及び永久磁石１１４はドック１０４の凹状領域２０４内に配置され得る。例えば、充電接点１１２及び永久磁石１１４の少なくとも一部は、凹状領域２０４内にあるドック筐体２０２の一部の開口を通って突出するように構成され得る。充電接点１１２は、接点が付勢されて開口から突出するとともに、接点に下向きの力が加えられた場合（例えば、スタイラスの端子が充電接点と接触するドッキング位置にスタイラスが置かれた場合）にドックの内部コンポーネントに向かって内側に押され得るようにバネ式のもの（spring-loaded）でもよい。図示のように、一対の永久磁石１１４ａ及び１１４ｂは、充電接点が２つの永久磁石の間に配置されるように充電接点１１２ａのうちの一方の両側に配置され得る。このように、図７に関連してより詳細に説明するように、スタイラスの強磁性端子は、永久磁石１１４ａ及び１１４ｂの磁力により誘導されて充電接点と整合し得る。永久磁石は充電接点１１２ａの近くにあるものの、永久磁石の損傷を低減するために及び／又は各機能（例えば、磁力及び導電性）の面で最も適切な材料を磁石及び接点のために選択できるようにするために、充電接点１１２ａから電気的に遮蔽される及び／又は空間的に離間され得る。即ち、充電接点は強力な永久磁石を形成するのに用いられる材料よりも導電性がある材料で形成され得る。
【００１３】
任意の磁石１１４ｃ及び１１４ｄ等の追加の永久磁石及び／又は追加の任意の充電接点１１２ｃは、スタイラスの別の強磁性要素と相互作用してスタイラスをドックにさらに整合させるとともに固定させるためにドック１０４の反対側の端部に位置し得る。例えば、一対の永久磁石１１４ｃ及び１１４ｄはスタイラスの追加の強磁性端子及び／又はスタイラスのバッテリーを引き付けるように構成され得る。スタイラスの強磁性端子を引き付けるために利用される場合、任意の充電接点１１２ｃが存在し得る一方で任意の充電接点１１２ｂはドックから省かれ得る。あるいは、スタイラスのバッテリー又は充電回路の端子ではない別の強磁性要素を引き付けるのに利用される場合、任意の充電接点１１２ｃが省かれる一方で、任意の充電接点１１２ｂがドックに含まれ得る。あるいは又はそれに加えて、上述した実施例のうちの１つ以上では永久磁石２１０がドック１０４に含まれ得る。永久磁石２１０はスタイラス１０２のバッテリー１０６を引き付けるように構成されるとともに配置され得る。
【００１４】
凹状領域の両側にある一対の磁石として図示しているが、永久磁石１１４は、スタイラスをドッキング位置の方に整合させるとともに引き付けるために、永久磁石１１４を任意の好適な構成で配置してもよいことが分かる。例えば、１つの永久磁石を充電接点のいずれかの側に配置してもよいし、複数の永久磁石を複数の充電接点のいずれかの側に配置してもよいし、１つ以上の永久磁石を凹状領域２０４の外側の前面２０６に配置してもよい。それに加えて、永久磁石１１４は任意の好適な寸法を有し得る。例えば、１つ以上の永久磁石は凹状領域の一部の周りで部分的なリングを形成し得る及び／又は好適な規則的又は不規則形状を有し得る。
【００１５】
いくつかの実施例では、側面２１２等の１つ以上の側面がディスプレイ装置と統合される及び／又は取り付けられるように構成され得る。次に図３を参照して、ドック１０４がディスプレイ装置３０２に関連して図示されている。図示の実施例では、ドック１０４はディスプレイ装置３０２の側部に垂直に（例えば、ウェル部の先細りの度合いが大きい端部がウェル部の先細りの度合いが小さい端部の上に位置する）取り付けられている。ドック１０４はディスプレイ装置３０２のベゼル３０４に取り付けられる及び／又は統合され得ることが分かる。例えば、ドック１０４は、ドックがベゼル３０４から延びるように後面（図２に図示の前面２０６の反対側）でディスプレイの側部に取り付けられ得る及び／又は前面３０６がベゼル３０４の外面と同一平面となるようにディスプレイに統合され得る。そのようなドックの向きは、（図１及び図２に図示の）ドック１０４の永久磁石１１４と（図１に図示の）スタイラス１０２の強磁性端子１１０との間で提供される強磁性引力により可能となる。係る強磁性引力は、ドッキング位置にあるスタイラスにかかる重力よりも強く、スタイラスを適所で強固に保持すること及びスタイラスがドックに近づいた場合に知覚的な引っ張り（perceptive  pull）を提供することの双方を実現するのに十分強力である。このように、ユーザーは、ドックにスタイラスを置くのに使用されるものに非常に近似した動作を行いながらスタイラスのドッキングも実現でき得る。ドック１０４はディスプレイ装置に対する任意の好適な向き及び／又は位置でディスプレイ装置３０２に統合してもよい及び／又は取り付けてもよいことが分かる。
【００１６】
図４は、図３の線Ａ−Ａに沿ったドック１０４の断面を示す。ドック１０４の断面は、筐体２０２の前面２０６に対する凹状領域２０４の凹面をさらに示す。ドック１０４の断面は凹状領域２０４の筐体を通る永久磁石１１４ａ及び１１４ｂ並びに充電接点１１２の例示の突起も示す。充電接点１１２は、導電トラック及び充電接点１１２をドック１０４の充電回路及び／又は電源に接続する他の好適なコネクタを含むプリント基板４０２等の基板に搭載され得る。図４に図示の永久磁石や充電接点等の要素のサイズ及び形状は例示であり、そのような要素の任意の好適な構成を用いてもよいことが分かる。例えば、ドック１０４の永久磁石は、ドック筐体内で部分的に収容されるとともにドック筐体の開口を通って部分的に突出するのに過不足のない厚さの薄い円盤であり得る。
【００１７】
図５は、図１のスタイラス１０２の例示の外観及び構造を示す。図示のように、端子１１０ａ及び１１０ｂはスタイラス筐体５０２の外周の周りに完全な又は部分的なリングを形成し得る。スタイラスの外周全体の周りに完全なリングを形成する端子は、スタイラスをより容易にドッキングできるようにするのに利用され得る。これは、スタイラスをスタイラスの長手軸５０４を中心に任意の位置に回転させてもドックの充電接点と接触し得るからである。リング状の端子を図示しているが、任意の好適な端子構成をスタイラスに利用してもよいことが分かる。例えば、ドックの近くにある場合に端子が永久磁石の逆を向くようにスタイラスが方向付けられていても、スタイラス筐体の外周の一部のみに配置された端子が永久磁石の方に引っ張られるようにスタイラスの強磁性端子とドックの永久磁石との間の磁力を大きくしてもよい。
【００１８】
上述したように、スタイラス１０２の端子１１０のうちの少なくとも１つは、ドック１０４の永久磁石に引き付けられるようにするために強磁性であり得る。一実施例では、端子１１０ａが強磁性であり得るのに対して端子１１０ｂは非磁着性（例えば非強磁性）である。そのような構成により、図７に関連してより詳細に説明するように、端子がドック１０４の充電接点１０４に適切に整合できるようになり得る。係る構成では、端子１１０ｂがドック１０４の永久磁石に引き付けられないため、スタイラスの整合に影響を与えることなく端子の間の間隔を比較的小さくすることも可能であり得る。少なくとも１つの強磁性端子を利用することにより、磁気整合／固定及び充電機能の両方が１つのリングによって提供されるため、スタイラスの表面に含まれるリングの総数を少なくできる。そのような特徴はコストを低減し、美的な利点をスタイラスに提供し得る。
【００１９】
他の実施例では、複数の強磁性端子が利用され得る。そのような実施例では、適切な整合が確実になるように強磁性端子が離間され得る。例えば、端子１１０ａ及び任意の端子１１０ｃは強磁性であり得る。端子１１０ａ及び１１０ｃは離間されてスタイラスの両端にあるため、各端子は、スタイラスがドッキング位置に近づくとドックの永久磁石（又はドックの一領域にある永久磁石）のうちの一方にしか引き付けられない。例えば、端子１１０ａが図２の永久磁石１１４ａ及び１１４ｂに引き付けられ得るのに対して、端子１１０ｃは図２の永久磁石１１４ｃ及び１１４ｄに引き付けられ得る。強磁性端子は、スタイラスを任意の向きでドックに置くことができるよう対称に配置されてもよい（例えば、端子１１０ｃがペン先（writing  end）５０８から離間しているのと同じ量だけ端子１１０ａがペン尻（eraser  end）５０６から離間され得る。）。即ち、スタイラスの端子及びドックの関連する磁石及び充電接点を対称にする構成は、端子をドックのいずれかの端部にある磁石及び／又は充電端子に接触させることができるようにするために利用され得る。端子１１０ａ及び１１０ｃ等の複数の強磁性端子を用いる場合、端子１１０ｂ等の非強磁性端子をスタイラスから省いてもよい。図５に図示の強磁性及び非強磁性端子の配置及び位置は例示であり、任意の好適な向きを用いてもよいことが分かる。
【００２０】
スタイラス１０２は、コンピューティングシステムに複数種類の入力を提供し及び／又はユーザーにフィードバックを提供するために任意の好適なアクティブ機能を有し得る。例えば、スタイラスは、ペン尻５０６又はペン先５０８のどちらが入力を提供しているか（例えば表面に接触しているか）を判断するためにスタイラスの向き及び／又は接点を検出するセンサを含み得る。スタイラスの異なる端で入力を提供することで、同じストロークで異なる機能を行うことができ得る。例えば、ペン尻５０６で入力を提供することで、グラフィカルユーザーインターフェイスのある領域内の表示されたフィーチャー（features）が取り除かれるのに対して、ペン先５０８で入力を提供することでグラフィカルユーザーインターフェイスに追加の表示可能なフィーチャーが追加され得る。ペン尻５０６にタップ又は押圧等の特定種類の入力を行うことで（又はペン尻でタッチセンサ入力面をタップする／押し付けることで）、やり直し等のコマンドが実行され得る。ペン先５０８に又はペン先５０８でそのような入力を行った場合は、選択コマンド等の異なるコマンドが実行させ得る。いくつかの実施例では、ペン尻５０６及び／又はペン先５０８はボタン機構を含み得る。（例えば、タッチセンサ入力面のより小さい領域に接触できる）精度の高い入力機構を提供するためにペン先５０８をペン尻５０６よりも一層先細りにしてもよい。スタイラス１０２は追加の機能を提供するためにボタン５１０も含み得る。例えば、ボタン５１０はスタイラスの入力状態の変更、スタイラスの電源のオン／オフ、選択／確認入力の提供等のために作動され得る。図２のドック１０４のインジケータライト２０８と同様に、スタイラス１０２のインジケータライト５１２はスタイラスの状態（例えば、充電残量の状態／バッテリーの充電状態、電源状態等）に関するフィードバックを提供し得る。
【００２１】
図６は、端子１１０ｂを通るとともに図５の長手軸５０４に垂直な軸に沿ったスタイラス１０２の断面を示す。図示のように、端子１１０ａ及び１１０ｂの双方がピン６０２ａ及び６０２ｂのそれぞれに（例えば物理的接触を通じて）電気的に接続されている。このように、充電電流がピン６０２ａ及び６０２ｂのそれぞれを通り、プリント基板６０４等の基板上に配置された導電トラック及び／又は他の好適なコネクタを通じてスタイラスの充電回路に流れ得る。充電回路に充電電流を流す間に干渉を最小限に抑えるために、ピン６０２ａ及び６０２ｂをプリント基板６０４の両側に配置してもよい。
【００２２】
図７は、例示のスタイラス充電システム１００のスタイラスとドックとの例示の電気的及び磁気的関係を示す。例えば、スタイラス１０２の端子１１０ａは、磁力７０２ａ及び７０２ｂによりそれぞれ永久磁石１１４ａ及び１１４ｂに磁気的に引き付けられるように構成された強磁性端子であり得る。端子１１０ａと永久磁石１１４ａ及び１１４ｂとの間の磁力は、スタイラス１０２がドック１０４に近づいたときにスタイラスがドッキング位置を取るようにさせる役割を果たす。充電接点のいずれかの側に永久磁石を配置することにより、強磁性端子１１０ａは磁石と接触するように引き入れられた場合に充電接点１１２ａとも接触して、破線７０４ａで示す電気接続を提供する。充電接点はバネ式であり、永久磁石の上に伸長するように付勢されているため、強磁性端子１１０ａは永久磁石と接触する前に充電接点と接触する。強磁性端子１１０ａと永久磁石１１４ａ及び１１４ｂとの間の磁力はバネ式充電接点の付勢を解消できるとともに強磁性端子に充電接点を押し込ませて永久磁石と面共有接触させるのに十分な強さを有する。バネ式充電接点の付勢は、ドッキングの間に接点をスタイラスの端子の方に促すため、スタイラスがドッキングしている間に強固で途切れのない電気接触を確実にする。
【００２３】
図２に関連して上述したように、１つ以上の追加の永久磁石をドック１０４に、また他の強磁性端子をスタイラスに用いることで（例えば、図５の端子１１０ｃ、バッテリー１０６及び／又はスタイラス１０２の別の強磁性要素）追加の引力を提供してもよい。そのような追加の磁力は、さらなる整合のために及び／又はドックとスタイラスとの間の磁力を全体として高めてスタイラスがドッキング位置にある間にドックにさらに固定させるのに利用され得る。
【００２４】
図７を続けて参照して、第２の充電接点１１２ｂは、端子１１０ａと１１０ｂとの間の距離と等しい距離だけ永久磁石及び（永久磁石の間に配置された）充電接点１１２ａから離間され得る。このように、端子１１０ａを永久磁石１１４ａ及び１１４ｂに接触させる磁力は端子１１０ｂを充電接点１１２ｂに整合させる。したがって、破線７０４ｂで示すように、端子１１０ｂと充電接点１１２ｂとの間で電気接続が得られ得る。
【００２５】
図８は、スタイラス充電システム１００のドック１０４内にあるスタイラス１０２の例示のドッキング位置を示す。図示のように、スタイラス１０２は、（図２に関連してより詳細に上述した）ドック１０４の凹状領域内に置かれている。このように、スタイラス１０２の端子１１０は、図７に関連して上述したようにドック１０４の各充電接点と電気的に接触している。
【００２６】
上述したように、強磁性充電端子をスタイラスに組み込むスタイラス充電システムは、ドッキング位置にあるスタイラスを整合／固定すること及びスタイラスの強磁性充電端子とドックの充電接点との間で電気接続を提供することという二重の機能をシステムが提供できるようにする。そのような強磁性引力は、スタイラスが垂直向きにあってもドック内に置かれ続けるようにする。また、永久磁石をドックの充電接点に近くにあるが電気的には遮蔽されるようにドックに設けることにより、永久磁石の損傷が低減されるとともに、永久磁石及び充電接点のそれぞれのためにより適切な材料を用いることができる。
【００２７】
いくつかの実施形態では、本明細書で説明する方法及びプロセスは、１つ以上のコンピューティングデバイスのコンピューティングシステムに関連し得る。具体的には、そのような方法及びプロセスは、コンピュータアプリケーションプログラム又はサービス、アプリケーションプログラミングインターフェイス（ＡＰＩ）、ライブラリ及び／又は他のコンピュータプログラム製品として実施され得る。
【００２８】
本明細書で説明した構成及び／又はアプローチは、様々な変更が可能であるため本質的に例示であり、これらの特定の実施形態又は実施例を限定的な意味で解釈すべきでないことが分かる。本明細書で説明した特定のルーチン又は方法は任意の数の処理戦略のうちの１つ以上を表し得る。そのため、図示及び／又は説明した様々な行為は、図示及び／又は説明したシーケンスで行われるか、別のシーケンスで行われるか、並列に行われるか又は省略され得る。同様に、上述のプロセスの順番は変更され得る。
【００２９】
本開示の主題は、様々なプロセス、システム及び構成並びに本明細書で開示の他の特徴、機能、動作及び／又は特性に加えてそれらのあらゆる同等物含む新規で且つ非自明なコンビネーション及びサブコンビネーションの全てを含む。
【図１】
0006602322.tif 000002
【図２】
0006602322.tif 000003
【図３】
0006602322.tif 000004
【図４】
0006602322.tif 000005
【図５】
0006602322.tif 000006
【図６】
0006602322.tif 000007
【図７】
0006602322.tif 000008
【図８】
0006602322.tif 000009